(57)【要約】【課題】表示パネルで反転駆動を行う場合に表示品質を向上できる走査線駆動回路、表示ドライバー、電気光学装置、電子機器及び駆動方法等を提供すること。【解決手段】走査線駆動回路は、表示パネルの走査線を選択する選択信号ＧＶ３、ＧＶ４を出力する。データ電圧ＳＶ１の極性反転が行われた後のデータ電圧ＳＶ１が表示パネルのデータ線に供給される期間を、第１の期間ＴＳＤとし、データ電圧ＳＶ１の極性反転が行われなかった後のデータ電圧ＳＶ１がデータ線に供給される期間を、第２の期間ＴＳＣとする場合に、第１の期間ＴＳＤの開始から選択信号ＧＶ４をアクティブにするまでの期間ＴＰＤの方が、第２の期間ＴＳＣの開始から選択信号ＧＶ３をアクティブにするまでの期間ＴＰＣよりも長い。【選択図】      図３
2018054676.tif 000002
【特許請求の範囲】
【請求項１】
表示パネルの走査線を選択する選択信号を出力する走査線駆動回路であって、
データ電圧の極性反転が行われた後の前記データ電圧が前記表示パネルのデータ線に供給される期間を、第１の期間とし、前記データ電圧の前記極性反転が行われなかった後の前記データ電圧が前記データ線に供給される期間を、第２の期間とする場合に、前記第１の期間の開始から前記選択信号をアクティブにするまでの期間の方が、前記第２の期間の開始から前記選択信号をアクティブにするまでの期間よりも長いことを特徴とする走査線駆動回路。
【請求項２】
請求項１において、
前記第１の期間において前記選択信号がアクティブ状態に維持される第１の選択期間の長さと、前記第２の期間において前記選択信号がアクティブ状態に維持される第２の選択期間の長さとが同じであることを特徴とする走査線駆動回路。
【請求項３】
請求項１又は２において、
前記第１の期間は、
前記データ電圧よりも高い第１のコモン電圧から前記データ電圧よりも低い第２のコモン電圧への切り替え、又は前記第２のコモン電圧から前記第１のコモン電圧への切り替えにより、前記データ電圧の前記極性反転が行われた後の期間であることを特徴とする走査線駆動回路。
【請求項４】
請求項１乃至３のいずれかにおいて、
前記表示パネルは、
第１表示ラインに対応して設けられた第１走査線及び第２走査線のうち前記第１走査線により選択される第１画素群と、前記第２走査線により選択される第２画素群を有し、前記データ線が前記第１画素群のいずれかの画素と前記第２画素群のいずれかの画素により共用される表示パネルであることを特徴とする走査線駆動回路。
【請求項５】
請求項４において、
前記第１画素群を駆動する前記データ電圧と同極性の前記データ電圧が前記データ線に供給される第３の期間と、前記第１画素群を駆動する前記データ電圧が前記データ線に供給される第４の期間において、前記第１走査線を選択する前記選択信号をアクティブにして前記第１画素群を選択し、
前記第２画素群を駆動する前記データ電圧と同極性の前記データ電圧が前記データ線に供給される第５の期間と、前記第２画素群を駆動する前記データ電圧が前記データ線に供給される第６の期間において、前記第２走査線を選択する前記選択信号をアクティブにして前記第２画素群を選択し、
前記第４の期間又は前記第６の期間が、前記データ電圧の前記極性反転が行われた後の期間である場合、当該期間の開始から前記選択信号をアクティブにするまでの期間の方が、前記データ電圧の前記極性反転が行われなかった後の前記データ電圧が前記データ線に供給される期間の開始から前記選択信号をアクティブにするまでの期間よりも長いことを特徴とする走査線駆動回路。
【請求項６】
請求項５において、
前記第３の期間又は前記第５の期間が、前記データ電圧の前記極性反転が行われた後の期間である場合、当該期間の開始から前記選択信号をアクティブにするまでの期間の方が、前記データ電圧の前記極性反転が行われなかった後の前記データ電圧が前記データ線に供給される期間の開始から前記選択信号をアクティブにするまでの期間よりも長いことを特徴とする走査線駆動回路。
【請求項７】
請求項１乃至３のいずれかにおいて、
前記表示パネルは、
第１走査線により選択される第１表示ラインの画素と、第２走査線により選択される第２表示ラインの画素と、第３走査線により選択される第３表示ラインの画素とを有し、
前記第１表示ラインの画素と前記第２表示ラインの画素と前記第３表示ラインの画素とは、互いに異なる色の画素であることを特徴とする走査線駆動回路。
【請求項８】
請求項１乃至７のいずれかに記載された走査線駆動回路と、
前記データ線を駆動するデータ線駆動回路と、
を含むことを特徴とする表示ドライバー。
【請求項９】
請求項１乃至７のいずれかに記載された走査線駆動回路と、
前記表示パネルと、
を含むことを特徴とする電気光学装置。
【請求項１０】
請求項１乃至７のいずれかに記載された走査線駆動回路を含むことを特徴とする電子機器。
【請求項１１】
表示パネルの走査線を選択する選択信号を出力する駆動方法であって、
データ電圧の極性反転が行われた後の前記データ電圧が前記表示パネルのデータ線に供給される第１の期間の開始から前記選択信号をアクティブにするまでの期間の方が、前記データ電圧の前記極性反転が行われなかった後の前記データ電圧が前記データ線に供給される第２の期間の開始から前記選択信号をアクティブにするまでの期間よりも長い前記選択信号を出力することを特徴とする駆動方法。
【発明の詳細な説明】
【技術分野】
【０００１】
本発明は、走査線駆動回路、表示ドライバー、電気光学装置、電子機器及び駆動方法等に関する。
【背景技術】
【０００２】
アクティブマトリクス表示装置に用いられる表示パネルの一種として、いわゆるデュアルゲート構造の表示パネルが知られている。デュアルゲート構造の表示パネルは、第１走査線により選択される画素と、第２走査線により選択される画素とが同じ表示ライン（水平走査方向の表示ライン）の画素であり、それらの２つの画素が１本のデータ線を共用する構造のパネルである。
【０００３】
デュアルゲート構造の表示パネルを駆動する手法の従来技術として、例えば特許文献１がある。特許文献１では、水平走査方向に隣り合う画素を逆極性で駆動するドット反転駆動を行っており、データ電圧の極性が反転された後の画素の駆動において走査線を選択する期間が、データ電圧の極性が反転されなかった後の画素の駆動において走査線を選択する期間よりも長く設定されている。
【先行技術文献】
【特許文献】
【０００４】
【特許文献１】特開２００６−３５０２８９号公報
【発明の概要】
【発明が解決しようとする課題】
【０００５】
デュアルゲート構造の表示パネルでドット反転駆動を行った場合、選択される走査線が変わる際に、データ線に供給されるデータ電圧の極性が反転される場合と反転されない場合がある。例えば、第１、第２、第３、第４走査線が選択された際に、正極性、負極性、負極性、正極性のデータ電圧がデータ線に供給される。この場合、第２走査線が選択される際にはデータ電圧の極性が反転し、第３走査線が選択される際にはデータ電圧の極性が反転されない。
【０００６】
データ電圧の極性が反転された場合には、データ電圧の電圧変化が大きくなるので、データ電圧の極性が反転されなかった場合よりもデータ線や画素の容量への充電に時間がかかる。そのため、データ電圧の極性が反転された後に、画素へのデータ電圧の書き込み不足が生じる可能性があり、それによって表示品質が低下する（例えば縦スジが生じる）可能性がある。なお、デュアルゲート構造の表示パネルに限らず、選択される走査線が変わる際に、データ線に供給されるデータ電圧の極性が反転される場合と反転されない場合があれば、同様の課題が生じ得る。
【０００７】
上述の特許文献１では、データ線の極性が反転された後の画素への充電時間を、データ電圧が反転されなかった後の画素への充電時間よりも長くすることで、書き込み不足を補っている。しかしながら、画素へのデータ電圧の書き込みはできるだけ同じ条件で行われることが望ましい。例えば、データ線の極性が反転された後は、データ線の極性が反転されなかった後に比べて、データ線の電圧がセトリングする時間が長くなる。そのため、データ線の極性が反転された後と、データ線の極性が反転されなかった後とで、走査線が選択されたタイミングでのデータ電圧のセトリングの状態が異なっている。表示品質の点からは、このような条件の違いが出来るだけ少ない方が望ましい。
【０００８】
本発明の幾つかの態様によれば、表示パネルで反転駆動を行う場合に表示品質を向上できる走査線駆動回路、表示ドライバー、電気光学装置、電子機器及び駆動方法等を提供できる。
【課題を解決するための手段】
【０００９】
本発明の一態様は、表示パネルの走査線を選択する選択信号を出力する走査線駆動回路であって、データ電圧の極性反転が行われた後の前記データ電圧が前記表示パネルのデータ線に供給される期間を、第１の期間とし、前記データ電圧の前記極性反転が行われなかった後の前記データ電圧が前記データ線に供給される期間を、第２の期間とする場合に、前記第１の期間の開始から前記選択信号をアクティブにするまでの期間の方が、前記第２の期間の開始から前記選択信号をアクティブにするまでの期間よりも長い走査線駆動回路に関係する。
【００１０】
本発明の一態様によれば、極性反転が行われた後のデータ電圧が供給される第１の期間の開始から選択信号をアクティブにするまでの期間の方が、極性反転が行われなかった後のデータ電圧が供給される第２の期間の開始から選択信号をアクティブにするまでの期間よりも長い選択信号が出力される。これにより、データ線の極性が反転された後と、データ線の極性が反転されなかった後とで、走査線が選択されたタイミングでのデータ電圧のセトリングの状態を同程度にすることが可能となる。そして、選択信号が非アクティブになるまでに、画素に所望の電圧を書き込むことが可能となる。これにより、デュアルゲート構造等の表示パネルでドット反転駆動を行う場合に表示品質を向上できる。
【００１１】
また本発明の一態様では、前記第１の期間において前記選択信号がアクティブ状態に維持される第１の選択期間の長さと、前記第２の期間において前記選択信号がアクティブ状態に維持される第２の選択期間の長さとが同じであってもよい。
【００１２】
第１の選択期間と第２の選択期間の長さが同じことから、第１の期間が開始してから第１の選択期間が終了するまでの時間の方が、第２の期間が開始してから第２の選択期間が終了するまでの時間よりも長くなる。これにより、極性が反転されてデータ電圧のセトリングに時間がかかる場合に選択期間が終了するまでの時間が長くなり、極性が反転されなかった場合と同程度に画素を充電することができる。
【００１３】
また本発明の一態様では、前記第１の期間は、前記データ電圧よりも高い第１のコモン電圧から前記データ電圧よりも低い第２のコモン電圧への切り替え、又は前記第２のコモン電圧から前記第１のコモン電圧への切り替えにより、前記データ電圧の前記極性反転が行われた後の期間であってもよい。
【００１４】
本発明の一態様によれば、第１のコモン電圧と第２のコモン電圧を切り替えることでデータ電圧の極性が変化する。データ電圧の極性が反転しなかった後と反転した後とでは、データ電圧のセトリング時間に差が出る。本発明の一態様によれば、データ電圧の出力開始から選択信号をアクティブにするまでの時間を異ならせることで、セトリング時間の差に対応できる。
【００１５】
また本発明の一態様では、前記表示パネルは、第１表示ラインに対応して設けられた第１走査線及び第２走査線のうち前記第１走査線により選択される第１画素群と、前記第２走査線により選択される第２画素群を有し、前記データ線が前記第１画素群のいずれかの画素と前記第２画素群のいずれかの画素により共用される表示パネルであってもよい。
【００１６】
このような表示パネルをドット反転駆動した場合、ある画素と次の画素とでデータ電圧の極性が反転しない場合と、反転する場合とが存在する。そのため、データ電圧の極性が反転しなかった後と反転した後とでは、データ電圧のセトリング時間に差が出る。本発明の一態様によれば、データ電圧の出力開始から選択信号をアクティブにするまでの時間を異ならせることで、セトリング時間の差に対応できる。
【００１７】
また本発明の一態様では、走査線駆動回路が、前記第１画素群を駆動する前記データ電圧と同極性の前記データ電圧が前記データ線に供給される第３の期間と、前記第１画素群を駆動する前記データ電圧が前記データ線に供給される第４の期間において、前記第１走査線を選択する前記選択信号をアクティブにして前記第１画素群を選択し、前記第２画素群を駆動する前記データ電圧と同極性の前記データ電圧が前記データ線に供給される第５の期間と、前記第２画素群を駆動する前記データ電圧が前記データ線に供給される第６の期間において、前記第２走査線を選択する前記選択信号をアクティブにして前記第２画素群を選択し、前記第４の期間又は前記第６の期間が、前記データ電圧の前記極性反転が行われた後の期間である場合、当該期間の開始から前記選択信号をアクティブにするまでの期間の方が、前記データ電圧の前記極性反転が行われなかった後の前記データ電圧が前記データ線に供給される期間の開始から前記選択信号をアクティブにするまでの期間よりも長くてもよい。
【００１８】
本発明の一態様によれば、第１画素群の画素と同極性の画素への書き込みが行われる際に、第１画素群の画素がプリ駆動され、第１画素群の画素のデータ電圧が供給される際に第１画素群の画素への書き込みが行われる。また、第２画素群の画素と同極性の画素への書き込みが行われる際に、第２画素群の画素がプリ駆動され、第２画素群の画素のデータ電圧が供給される際に第２画素群の画素への書き込みが行われる。このようなダブルオン駆動を行う場合において、第１画素群の画素又は第２画素群の画素への書き込みが、データ電圧の極性反転が行われた後である場合、そのデータ電圧が供給される期間の開始から選択信号をアクティブにするまでの期間の方が、極性反転が行われなかった後のデータ電圧が供給される期間の開始から選択信号をアクティブにするまでの期間よりも長い。これにより、ダブルオン駆動における表示品質を向上できる。
【００１９】
また本発明の一態様では、前記第３の期間又は前記第５の期間が、前記データ電圧の前記極性反転が行われた後の期間である場合、当該期間の開始から前記選択信号をアクティブにするまでの期間の方が、前記データ電圧の前記極性反転が行われなかった後の前記データ電圧が前記データ線に供給される期間の開始から前記選択信号をアクティブにするまでの期間よりも長くてもよい。
【００２０】
ダブルオン駆動を行う場合において、第１画素群の画素又は第２画素群の画素のプリ駆動が、データ電圧の極性反転が行われた後である場合、そのデータ電圧が供給される期間の開始から選択信号をアクティブにするまでの期間の方が、極性反転が行われなかった後のデータ電圧が供給される期間の開始から選択信号をアクティブにするまでの期間よりも長い。これにより、ダブルオン駆動における表示品質を更に向上できる可能性がある。
【００２１】
また本発明の一態様では、前記表示パネルは、第１走査線により選択される第１表示ラインの画素と、第２走査線により選択される第２表示ラインの画素と、第３走査線により選択される第３表示ラインの画素とを有し、前記第１表示ラインの画素と前記第２表示ラインの画素と前記第３表示ラインの画素とは、互いに異なる色の画素であってもよい。
【００２２】
このようなトリプルゲート構造の表示パネルにおいて、複数の表示ライン毎にデータ電圧の極性を反転させる駆動を行うことが考えられる。このような駆動を行う場合、ある画素と次の画素とでデータ電圧の極性が反転しない場合と、反転する場合とが存在する。そのため、データ電圧の極性が反転しなかった後と反転した後とでは、データ電圧のセトリング時間に差が出る。本発明の一態様によれば、データ電圧の出力開始から選択信号をアクティブにするまでの時間を異ならせることで、セトリング時間の差に対応できる。
【００２３】
また本発明の他の態様は、上記のいずれかに記載された走査線駆動回路と、前記データ線を駆動するデータ線駆動回路と、を含む表示ドライバーに関係する。
【００２４】
また本発明の更に他の態様は、上記のいずれかに記載された走査線駆動回路と、前記表示パネルと、を含む電気光学装置に関係する。
【００２５】
また本発明の更に他の態様は、上記のいずれかに記載された走査線駆動回路を含む電子機器に関係する。
【００２６】
また本発明の更に他の態様は、表示パネルの走査線を選択する選択信号を出力する駆動方法であって、データ電圧の極性反転が行われた後の前記データ電圧が前記表示パネルのデータ線に供給される第１の期間の開始から前記選択信号をアクティブにするまでの期間の方が、前記データ電圧の前記極性反転が行われなかった後の前記データ電圧が前記データ線に供給される第２の期間の開始から前記選択信号をアクティブにするまでの期間よりも長い前記選択信号を出力する駆動方法に関係する。
【図面の簡単な説明】
【００２７】
【図１】本実施形態の走査線駆動回路と表示パネルの接続構成例。
【図２】表示ドライバーの構成例。
【図３】表示ドライバーの動作を説明する第１のタイミングチャート。
【図４】表示ドライバーの動作を説明する第２のタイミングチャート。
【図５】ダブルオン駆動を行う場合の表示ドライバーの動作を説明するタイミングチャート。
【図６】トリプルゲート構造の表示パネルの構成例。
【図７】トリプルゲート構造の表示パネルを駆動する場合の表示ドライバーの動作を説明するタイミングチャート。
【図８】２ドット反転駆動を行う場合の第１の変形例。
【図９】２ドット反転駆動を行う場合の第２の変形例。
【図１０】２ドット反転駆動を行う場合の第３の変形例。
【図１１】２ドット反転駆動を行う場合の第４の変形例。
【図１２】電気光学装置の構成例。
【図１３】電子機器の構成例。
【発明を実施するための形態】
【００２８】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２９】
１．走査線駆動回路、表示ドライバー
図１は、本実施形態の走査線駆動回路１０と表示パネル４０の接続構成例である。なお、以下では表示パネル４０（画素アレイ）がデュアルゲート構造である場合を例に説明するが、これに限定されず、例えばトリプルゲート構造等の表示パネルにも本実施形態の駆動手法を適用できる。また図１には１５×５画素の画素アレイを図示しているが、これに限定されず、ｐ×ｑ画素の画素アレイに本実施形態の駆動手法を適用できる。ここでｐ、ｑは３以上の整数である。
【００３０】
走査線駆動回路１０は、表示パネル４０の走査線Ｇ１〜Ｇ１０（ゲート線）を選択する選択信号ＧＶ１〜ＧＶ１０（選択電圧）を出力する。即ち、走査線駆動回路１０は、選択信号ＧＶｉをアクティブ（第１論理レベル、例えばハイレベル）にすることで走査線Ｇｉを選択し、走査線Ｇｉに接続された画素を書き込み可能にする。ここでｉは１以上１０（＝２ｑ）以下の整数である。
【００３１】
表示パネル４０は、アクティブマトリクス型のデュアルゲート構造の表示パネルである。例えば表示パネル４０は、液晶表示パネルや自発光素子を用いた表示パネル（ＥＬ（Electro-Luminescence）表示パネル）等である。
【００３２】
図１の表示パネル４０には、水平走査方向の各表示ラインに対応して２本の走査線が設けられており、その２本の走査線により各表示ラインの画素が時分割に選択される。第１表示ラインを例にとると、第１表示ラインに対応して第１走査線Ｇ１及び第２走査線Ｇ２が設けられている。第１表示ラインは、第１走査線Ｇ１により選択される（第１走査線Ｇ１に接続される）第１画素群と、第２走査線Ｇ２により選択される（第２走査線Ｇ２に接続される）第１画素群とを有する。そして、データ線（複数のデータ線Ｓ１〜Ｓ８の各データ線）が第１画素群のいずれかの画素と第２画素群のいずれかの画素により共用される。即ちデータ線Ｓｊには、水平走査方向にデータ線Ｓｊを挟んで隣り合う２画素が接続されており、その２画素の一方は第１画素群に属し、他方は第２画素群に属する。そして、データ線Ｓｊを共用する２画素が、第１走査線Ｇ１と第２走査線Ｇ２により時分割に選択される。ここでｊは１以上８（ｐ／２又は（ｐ＋１）／２）以下の整数である。
【００３３】
図２は、本実施形態の走査線駆動回路１０を含む表示ドライバー１００の構成例である。また、以下では表示ドライバー１００に走査線駆動回路１０が含まれる場合を例に説明するが、これに限定されず、走査線駆動回路１０は表示ドライバー１００の外部に設けられてもよい。例えば、走査線駆動回路１０が表示パネル４０の基板に（例えばＴＦＴ等により）形成されてもよい。
【００３４】
表示ドライバー１００は、走査線駆動回路１０（走査線駆動部）、制御回路２０（制御部、処理回路）、データ線駆動回路３０（データ線駆動部）、インターフェース回路５０（インターフェース部）、電圧生成回路８０（電圧生成部）、端子ＴＳ１〜ＴＳｎ、端子ＴＧ１〜ＴＧｍ、端子ＴＶＣを含む。ここでｎ、ｍは３以上の整数である。例えば表示ドライバー１００を図１の表示パネル４０に適用した場合、ｎ＝８、ｍ＝１０である。
【００３５】
表示ドライバー１００は、回路装置であり、例えば集積回路装置（ＩＣ）等で実現される。端子ＴＳ１〜ＴＳｎ、端子ＴＧ１〜ＴＧｍ、端子ＴＶＣは、例えば集積回路装置の半導体チップのパッド、或いは集積回路装置のパッケージの端子である。
【００３６】
インターフェース回路５０は、外部の処理装置（例えば表示コントローラー、ＭＰＵ、ＣＰＵ等）との間の通信を行う。通信は、例えば表示データ（画像データ）の転送やクロック信号、同期信号の供給、コマンド（又は制御信号）の転送等である。インターフェース回路５０は、例えばＩ／Ｏバッファー等で構成される。
【００３７】
制御回路２０は、インターフェース回路５０を介して入力された表示データやクロック信号、同期信号、コマンド等に基づいて、表示データの処理やタイミング制御、表示ドライバー１００の各部の制御等を行う。表示データの処理では、例えば階調補正等の画像処理を行う。タイミング制御では、同期信号や表示データに基づいて表示パネルの走査線の駆動タイミングやデータ線の駆動タイミングを制御する。また各画素に書き込むデータ電圧の極性を制御する。制御回路２０は、例えばゲートアレイ等のロジック回路で構成される。
【００３８】
データ線駆動回路３０は、階調電圧生成回路と、複数の駆動回路と、を含む。各駆動回路は、Ｄ／Ａ変換回路と、アンプ回路と、を含む。階調電圧生成回路は複数の電圧を出力し、その各電圧は複数の階調値のいずれかに対応している。Ｄ／Ａ変換回路は、階調電圧生成回路からの複数の電圧の中から、表示データに対応する電圧を選択する。アンプ回路は、Ｄ／Ａ変換回路からの電圧を増幅してデータ電圧を出力する。このようにして複数の駆動回路によりデータ電圧ＳＶ１〜ＳＶｎが端子ＴＳ１〜ＴＳｎに出力され、表示パネル４０のデータ線が駆動される。例えば、各駆動回路は２本のデータ線に対応して設けられ、その２本のデータ線を逆極性で駆動する。或いは、各駆動回路は１本のデータ線に対応して設けられる。階調電圧生成回路は例えばラダー抵抗等で構成され、Ｄ／Ａ変換回路は例えばスイッチ回路等で構成され、アンプ回路は例えば演算増幅器やキャパシター、抵抗等で構成される。
【００３９】
走査線駆動回路１０は、選択信号ＧＶ１〜ＧＶｍを端子ＴＧ１〜ＴＧｍに出力し、表示パネルの走査線を駆動（選択）する。例えば走査線駆動回路１０は、選択する走査線を指定する信号を生成する回路、その信号をバッファリングして選択信号ＧＶ１〜ＧＶ１０として出力するバッファー回路等で構成される。
【００４０】
電圧生成回路８０は、表示パネル４０のコモン電極に供給されるコモン電圧ＶＣＯＭを生成し、そのコモン電圧ＶＣＯＭを端子ＴＶＣに出力する。また電圧生成回路８０は、表示ドライバー１００の各部に供給される電圧を生成する。例えば走査線駆動回路１０のバッファー回路の電源電圧や、データ線駆動回路３０のアンプ回路の電源電圧等を生成する。例えば電圧生成回路８０は、昇圧回路やレギュレーター、抵抗分圧回路等で構成される。
【００４１】
２．動作
図３は、表示ドライバー１００の動作を説明する第１のタイミングチャートである。なお、以下ではコモン電圧ＶＣＯＭを変化させることでデータ電圧の極性を変化させる場合を例に説明するが、これに限定されず、コモン電圧ＶＣＯＭを一定にしてデータ電圧の極性を変化させてもよい。即ち、データ電圧の極性はデータ線に出力されるデータ電圧とコモン電圧との間の相対的な関係であり、例えばデータ電圧＞コモン電圧ＶＣＯＭの場合が正極性であり、データ電圧＜コモン電圧ＶＣＯＭの場合が負極性である。
【００４２】
信号ＨＳＹＮＣは水平走査信号であり、信号ＨＳＹＮＣの２つの立ち上がりエッジ（又は立ち下がりエッジ）の間が水平走査期間に相当する。１つの水平走査期間には２本の走査線が順次に選択される。
【００４３】
データ電圧ＳＶ１を例にとると、図１に示す画素ＰＢ、ＰＣ、ＰＤに書き込まれるデータ電圧が期間ＴＳＢ、ＴＳＣ、ＴＳＤにデータ線Ｓ１に出力される。ここで、図１の各画素に付した「＋」、「−」は、あるフレームでの極性を表しており、「＋」は正極性を表し、「−」は負極性を表す。この極性は、フレーム毎に反転される。図１では画素ＰＢ、ＰＣ、ＰＤの極性は負、負、正となっているので、図２のコモン電圧ＶＣＯＭは期間ＴＳＣ、ＴＳＤの間で変化する。コモン電圧ＶＣＯＭを基準とするデータ電圧ＳＶ１は、期間ＴＳＢ、ＴＳＣ、ＴＳＤで負極性、負極性、正極性となる。
【００４４】
走査線Ｇ４の選択信号ＧＶ４は、期間ＴＳＤ内の選択期間ＴＧＤ（第１の選択期間）でアクティブ状態に維持される（アクティブである）。選択信号ＧＶ４は、期間ＴＳＤ内の選択期間ＴＧＤ以外では非アクティブ状態に維持される（非アクティブである）。期間ＴＳＣ、ＴＳＤの間でデータ電圧ＳＶ１が負極性から正極性に変化するので、期間ＴＳＤ（第１の期間）は、極性反転が行われた後のデータ電圧ＳＶ１がデータ線Ｓ１に供給される期間である。この期間ＴＳＤの開始から選択信号ＧＶ４をアクティブにするまでの期間をＴＰＤとする。
【００４５】
走査線Ｇ３の選択信号ＧＶ３は、期間ＴＳＣ内の選択期間ＴＧＣ（第２の選択期間）でアクティブ状態に維持される。選択信号ＧＶ３は、期間ＴＳＣ内の選択期間ＴＧＣ以外では非アクティブ状態に維持される。期間ＴＳＢ、ＴＳＣではいずれもデータ電圧ＳＶ１が負極性なので、期間ＴＳＣ（第２の期間）は、極性反転が行われなかった後のデータ電圧ＳＶ１がデータ線Ｓ１に供給される期間である。この期間ＴＳＣの開始から選択信号ＧＶ３をアクティブにするまでの期間をＴＰＣとすると、期間ＴＰＣよりも期間ＴＰＤの方が長い。
【００４６】
本実施形態によれば、走査線駆動回路１０が上記のような選択信号ＧＶ３、ＧＶ４を出力することで、表示品質の低下を防ぐことができる。これについて比較例を用いて説明する。
【００４７】
図３に示す選択信号ＧＶ４’、ＧＶ４”は、選択信号ＧＶ４の第１、第２の比較例である。期間ＴＳＤの開始から選択信号ＧＶ４’、ＧＶ４”をアクティブにするまでの期間ＴＰＤ’、ＴＰＤ”の長さは、期間ＴＰＣの長さと同じである。
【００４８】
第１の比較例では、選択信号ＧＶ４’がアクティブ状態に維持される選択期間ＴＧＤ’が、選択信号ＧＶ３がアクティブ状態に維持される選択期間ＴＧＣと同じである。図３のＡ１に示すように、極性が反転されなかった場合のデータ電圧ＳＶ１（データ線の電圧。データ線の電位とコモン電位との電位差）は、前回の駆動（期間ＴＳＢ）からの電圧変化が小さいので、期間ＴＳＣが開始してから（データ線へデータ電圧の書き込みを開始してから）セトリングする（データ線の電位が目標値に達する）までの時間が短い。そのため、選択信号ＧＶ３がアクティブ状態に維持される選択期間ＴＧＣが終了するまでに、画素に所望の電圧を書き込むことができる。一方、Ａ２に示すように、極性が反転された場合のデータ電圧ＳＶ１（データ線の電圧）は、前回の駆動（期間ＴＳＣ）からの電圧変化が大きいので、期間ＴＳＤが開始してからセトリングするまでの時間が長い。そのため、選択信号ＧＶ４’がアクティブ状態に維持される選択期間ＴＧＤ’が終了するまでに、画素に所望の電圧を書き込むことができない可能性がある。
【００４９】
この問題を解決するために、第２の比較例では、選択信号ＧＶ４”がアクティブ状態に維持される選択期間ＴＧＤ”が、選択信号ＧＶ３がアクティブ状態に維持される選択期間ＴＧＣよりも長くなっている。選択期間ＴＧＣを長くすることで、極性が反転された後にデータ電圧ＳＶ１がセトリングするまでの時間が長い場合であっても、選択信号ＧＶ４”がアクティブ状態に維持される選択期間ＴＧＤ”が終了するまでに、画素に所望の電圧を書き込むことができる。しかしながら、選択期間ＴＧＤ”は、以下の２点において、選択信号ＧＶ３がアクティブ状態に維持される選択期間ＴＧＣとは条件が異なっている。１点目は、選択信号ＧＶ４”がアクティブ状態に維持される選択期間ＴＧＤ”が開始するタイミングでは、データ電圧ＳＶ１が所望の電圧にセトリングしていない（選択期間ＴＧＣが開始するタイミングでのデータ電圧ＳＶ１と同程度の充電状態でない）点である。２点目は、選択信号ＧＶ４”がアクティブ状態に維持される選択期間ＴＧＤ”が選択期間ＴＧＣよりも長い点である。このような条件の違いが、例えば画素への書き込み電圧の誤差等になる可能性があるので、極性反転の有無によらずに出来るだけ同じ条件で画素への書き込みが行われることが望ましい。
【００５０】
この点、本実施形態では、極性反転後の期間ＴＳＤの開始（データ線の充電開始）から選択信号ＧＶ４をアクティブにする（画素の充電開始）までの期間ＴＰＤが、極性反転されなかった後の期間ＴＳＣの開始から選択信号ＧＶ３をアクティブにするまでの期間ＴＰＣよりも長い。これにより、Ａ３に示すように、選択信号ＧＶ４がアクティブ状態に維持される選択期間ＴＧＤが開始するタイミングで、データ電圧ＳＶ１が所望の電圧にセトリングしている状態にできる。そして、選択期間ＴＧＤが終了するまでに、画素に所望の電圧を書き込むことが可能となる。なお、選択期間ＴＧＤが開始するタイミングでデータ電圧ＳＶ１が所望の電圧にセトリングしている必要はなく、選択期間ＴＧＣ、ＴＧＤが開始するタイミングでデータ線が同程度に充電された状態となっていればよい。
【００５１】
また本実施形態では、第１の期間ＴＳＤにおいて選択信号ＧＶ４がアクティブ状態に維持される第１の選択期間ＴＧＤの長さと、第２の期間ＴＳＣにおいて選択信号ＧＶ３がアクティブ状態に維持される第２の選択期間ＴＧＣの長さとが同じである。
【００５２】
選択期間ＴＧＣ、ＴＧＤの長さが同じことから、期間ＴＳＣが開始してから選択期間ＴＧＣが終了するまでの時間よりも、期間ＴＳＤが開始してから選択期間ＴＧＤが終了するまでの時間の方が長くなる。これにより、極性が反転されてデータ電圧ＳＶ１のセトリングに時間がかかる場合に選択期間ＴＧＤが終了するまでの時間を確保でき、画素を所望の電圧に十分に充電することができる。また、期間ＴＳＣ、ＴＳＤが同じ長さであることから、極性反転の有無に関わらずできる限り同じ条件での画素への書き込みを行うことが可能である。
【００５３】
また本実施形態では、第１の期間ＴＳＤは、データ電圧ＳＶ１よりも高い第１のコモン電圧からデータ電圧ＳＶ２よりも低い第２のコモン電圧への切り替えにより、データ電圧ＳＶ１の極性反転が行われた後の期間である。
【００５４】
即ち、本実施形態ではコモン電圧ＶＣＯＭを変化させることでデータ電圧の極性を変化させる。上述したように、データ電圧の極性が切り替わらなかった場合と切り替わった場合とでは、データ電圧のセトリング時間に差が出る。この点、本実施形態ではデータ電圧の出力開始から選択信号をアクティブにするまでの時間を異ならせることで、セトリング時間の差に対応している。
【００５５】
図４は、表示ドライバー１００の動作を説明する第２のタイミングチャートである。図４には、図１の画素ＰＡ〜ＰＦを駆動する際のタイミングチャートを示す。
【００５６】
図１に示すように、画素ＰＡ、ＰＢ、ＰＣ、ＰＤ、ＰＥ、ＰＦを駆動するデータ電圧ＳＶ１は期間ＴＳＡ、ＴＳＢ、ＴＳＣ、ＴＳＤ、ＴＳＥ、ＴＳＦに出力され、その極性は、正、負、負、正、正、負である。即ち、期間ＴＳＢ、ＴＳＤ、ＴＳＦは極性が反転された後の期間であり、期間ＴＳＡ、ＴＳＣ、ＴＳＥは極性が反転されなかった後の期間である。ここで、極性が反転されなかったとは、前回の画素（データ線）の駆動から今回の画素（データ線）の駆動までの間に極性が反転されなかったということである。
【００５７】
図３では、負極性のまま極性が反転されなかった後の期間ＴＳＣと、負極性から正極性に反転された後の期間ＴＳＤ（第１のコモン電圧から第２のコモン電圧に切り替えた後の期間）を例に、ＴＰＤ＞ＴＰＣであることを説明したが、これに限定されない。即ち、正極性のまま極性が反転されなかった後の期間ＴＳＥと、正極性から負極性に反転された後の期間ＴＳＦ（第２のコモン電圧から第１のコモン電圧に切り替えた後の期間）においても、ＴＰＦ＞ＴＰＥである。またＴＧＥ＝ＴＧＦである。期間ＴＰＥ、ＴＰＦは、期間ＴＳＥ、ＴＳＦが開始してから、選択信号ＧＶ５、ＧＶ６がアクティブになるまでの期間である。選択期間ＴＧＥ、ＴＧＦは、選択信号ＧＶ５、ＧＶ６がアクティブになっている期間である。なお、例えばＴＰＣ＝ＴＰＥ、ＴＰＤ＝ＴＰＦであるが、これに限定されず、期間ＴＰＣ、ＴＰＥの長さが異なってもよいし、期間ＴＰＤ、ＴＰＦの長さが異なってもよい。
【００５８】
以上に説明した各期間は、例えば以下のように制御される。即ち、図２の制御回路２０はタイミングコントローラーを有しており、そのタイミングコントローラーはクロック信号をカウントするカウンターのカウント値等に基づいて動作タイミングを制御する。各期間の開始タイミング（カウント値）及び、期間の長さ又は終了タイミング（カウント値）が予め又はレジスター設定により設定され、その設定値に基づいてタイミングコントローラーが各制御信号を生成し、期間を制御する。データ線駆動回路３０や走査線駆動回路１０は、タイミングコントローラーからの制御信号に基づいてデータ電圧や走査線の選択信号を出力する。なお、これに限定されず、選択信号についての各期間を制御する回路を走査線駆動回路１０が含む構成にしてもよい。
【００５９】
なお、本実施形態では以下のような構成であってもよい。即ち、表示ドライバー１００は、表示パネル４０を駆動する。表示パネル４０は、複数の走査線Ｇ１〜Ｇ１０と、複数の走査線Ｇ１〜Ｇ１０と交差するデータ線Ｓ１〜Ｓ８と、複数の走査線Ｇ１〜Ｇ１０とデータ線Ｓ１〜Ｓ８とが交差する位置に形成された複数の画素と、を含む。表示ドライバー１００（例えば表示ドライバー１００のデータ線駆動回路）は、第１の駆動と第２の駆動とを行う。第１の駆動では、データ線に第１の極性又は第１の極性と異なる第２の極性の一方の第１のデータ電圧を供給した後、データ線に第１の極性と第２の極性の他方の第２のデータ電圧を供給する。第２の駆動では、データ線に第３の極性と第３の極性と異なる第４の極性の一方の第３のデータ電圧が供給された後、データ線に第３の極性と第４の極性の一方の第４のデータ電圧を供給する。表示ドライバー１００（例えば表示ドライバー１００の走査線駆動回路１０）は、第１の駆動において、データ線に第２のデータ電圧の供給が開始されてから、第１の非選択期間（ＴＰＤ）の後に走査線を選択し、第２の駆動において、データ線に第４のデータ電圧の供給が開始されてから、第２の非選択期間（ＴＰＣ）の後に走査線を選択する。第１の非選択期間（ＴＰＤ）の方が第２の非選択期間（ＴＰＣ）よりも長い。
【００６０】
なお、以上に説明した走査線駆動回路１０の動作は、表示パネル４０の走査線を選択する選択信号を出力する駆動方法（走査線駆動回路１０又は表示ドライバー１００の作動方法）として実行することが可能である。即ち、データ電圧ＳＶ１の極性反転が行われた後のデータ電圧ＳＶ１が表示パネル４０のデータ線Ｓ１に供給される第１の期間ＴＳＤの開始から選択信号ＧＶ４をアクティブにするまでの期間ＴＰＤの方が、データ電圧ＳＶ１の極性反転が行われなかった後のデータ電圧ＳＶ１がデータ線Ｓ１に供給される第２の期間ＴＳＣの開始から選択信号ＧＶ３をアクティブにするまでの期間ＴＰＣよりも長い選択信号ＧＶ３、ＧＶ４を出力する。
【００６１】
また、以下のような駆動方法であってもよい。即ち、表示パネル４０は、複数の走査線Ｇ１〜Ｇ１０と、複数の走査線Ｇ１〜Ｇ１０と交差するデータ線Ｓ１〜Ｓ８と、複数の走査線Ｇ１〜Ｇ１０とデータ線Ｓ１〜Ｓ８とが交差する位置に形成された複数の画素と、を含む。このような表示パネル４０の駆動方法であって、第１の駆動と第２の駆動とを行い、第１の駆動において、データ線に第２のデータ電圧の供給が開始されてから、走査線が選択されるまでの期間（ＴＰＤ）の方が、第２の駆動において、データ線に第４のデータ電圧の供給が開始されてから、走査線が選択されるまでの期間（ＴＰＣ）よりも長い駆動方法である。第１の駆動では、データ線に第１の極性又は第１の極性と異なる第２の極性の一方の第１のデータ電圧を供給した後、データ線に第１の極性と第２の極性の他方の第２のデータ電圧を供給する。第２の駆動では、データ線に第３の極性と第３の極性と異なる第４の極性の一方の第３のデータ電圧を供給した後、データ線に第３の極性と第４の極性の一方の第４のデータ電圧を供給する。
【００６２】
３．ダブルオン駆動における駆動手法
図５は、ダブルオン駆動を行う場合の表示ドライバー１００の動作を説明するタイミングチャートである。図５には、図１の画素ＰＧ〜ＰＪ、ＰＡ〜ＰＤを駆動する際のタイミングチャートを示す。
【００６３】
図５に示すように、走査線駆動回路１０は、第１走査線Ｇ１を選択する選択信号ＧＶ１を、期間ＴＳＧ（第３の期間）内の選択期間ＰＴＧＡと期間ＴＳＡ（第４の期間）内の選択期間ＴＧＡにおいてアクティブ状態に維持する。期間ＴＳＧ、ＴＳＡは、画素ＰＧ、ＰＡを駆動するデータ電圧ＳＶ１がデータ線Ｓ１に供給される期間である。図５の例では、期間ＴＳＧ、ＴＳＡでのデータ電圧ＳＶ１は正極性である。即ち、期間ＴＳＧは、画素ＰＡ（第１画素群）を駆動するデータ電圧ＳＶ１と同極性のデータ電圧ＳＶ１がデータ線Ｓ１に供給される期間である。なお、図１では画素ＰＧが負極性であるが、図５では１フレーム前の画素ＰＧの駆動を示しているので、正極性となっている。
【００６４】
また走査線駆動回路１０は、第２走査線Ｇ２を選択する選択信号ＧＶ２を、期間ＴＳＨ（第５の期間）内の選択期間ＰＴＧＢと期間ＴＳＢ（第６の期間）内の選択期間ＴＧＢにおいてアクティブ状態に維持する。期間ＴＳＨ、ＴＳＢは、画素ＰＨ、ＰＢを駆動するデータ電圧ＳＶ１がデータ線Ｓ１に供給される期間である。図５の例では、期間ＴＳＨ、ＴＳＢでのデータ電圧ＳＶ１は負極性である。即ち、期間ＴＳＨは、画素ＰＢ（第２画素群）を駆動するデータ電圧ＳＶ１と同極性のデータ電圧ＳＶ１がデータ線Ｓ１に供給される期間である。なお、図１では画素ＰＨが正極性であるが、図５では１フレーム前の画素ＰＨの駆動を示しているので、負極性となっている。
【００６５】
このように、同極性の画素への書き込みが行われるタイミングで選択信号をアクティブにしてプリ駆動を行う手法をダブルオン駆動と呼ぶ。この手法では、事前に同極性のデータ電圧で画素が充電されるので、その画素のデータ電圧を書き込む際にセトリング時間を短縮でき、表示品質を向上できる。
【００６６】
このようなダブルオン駆動を行う場合においても、図３等で説明した本実施形態の駆動手法を適用できる。
【００６７】
即ち、第６の期間ＴＳＢは、データ電圧ＳＶ１の極性反転が行われた後の期間である。この場合に、期間ＴＳＢの開始から選択信号ＧＶ２をアクティブにするまでの期間ＴＰＢの方が、期間ＴＰＡよりも長い。期間ＴＰＡは、データ電圧ＳＶ１の極性反転が行われなかった後のデータ電圧ＳＶ１がデータ線Ｓ１に供給される期間ＴＳＡの開始から選択信号ＧＶ１をアクティブにするまでの期間である。
【００６８】
このように、ダブルオン駆動において画素ＰＡ、ＰＢに対応したデータ電圧を書き込む際に、本実施形態の駆動手法を適用することで、極性反転の有無に関わらず選択期間（選択信号がアクティブになっている期間）の終了までに所望の電圧を画素に書き込むことが可能となる。これにより、ダブルオン駆動における表示品質を向上できる。
【００６９】
なお、図５では第６の期間ＴＳＢが極性反転後の期間となる場合を図示したが、これに限定されず、第４の期間ＴＳＡが極性反転後の期間となるようにしてもよい。この場合、期間ＴＳＡの開始から選択信号ＧＶ１をアクティブにするまでの期間ＴＰＡの方が、データ電圧ＳＶ１の極性反転が行われなかった後のデータ電圧ＳＶ１がデータ線Ｓ１に供給される期間の開始から選択信号をアクティブにするまでの期間よりも長い。
【００７０】
また本実施形態では、第５の期間ＴＳＨは、データ電圧ＳＶ１の極性反転が行われた後の期間である。この場合に、期間ＴＳＨの開始から選択信号ＧＶ２をアクティブにするまでの期間ＰＴＰＢの方が、期間ＰＴＰＡよりも長い。期間ＰＴＰＡは、データ電圧ＳＶ１の極性反転が行われなかった後のデータ電圧ＳＶ１がデータ線Ｓ１に供給される期間ＴＳＧの開始から選択信号ＧＶ１をアクティブにするまでの期間である。
【００７１】
このように、ダブルオン駆動において画素ＰＡ、ＰＢをプリ駆動する際に、本実施形態の駆動手法を適用することで、極性反転の有無に関わらず選択期間（選択信号がアクティブになっている期間）の終了までにプリ駆動の電圧を画素に書き込むことが可能となる。これにより、更に表示品質を向上できる可能性がある。即ち、選択信号ＧＶ２がアクティブ状態に維持される選択期間ＰＴＧＢが開始するタイミングと、選択信号ＧＶ１がアクティブ状態に維持される選択期間ＰＴＧＡが開始するタイミングとで、データ電圧ＳＶ１がプリ駆動の電圧に同程度に充電された（同程度にセトリングしている）状態にできる。
【００７２】
なお、図５では第５の期間ＴＳＨが極性反転後の期間となる場合を図示したが、これに限定されず、第３の期間ＴＳＧが極性反転後の期間となるようにしてもよい。この場合、期間ＴＳＧの開始から選択信号ＧＶ１をアクティブにするまでの期間ＰＴＰＡの方が、データ電圧ＳＶ１の極性反転が行われなかった後のデータ電圧ＳＶ１がデータ線Ｓ１に供給される期間の開始から選択信号をアクティブにするまでの期間よりも長い。
【００７３】
４．トリプルゲート構造の表示パネルの駆動手法
図６は、トリプルゲート構造の表示パネル４０の構成例である。なお図１には４×６画素の画素アレイを図示しているが、これに限定されず、ｓ×ｔ画素の画素アレイに本実施形態の駆動手法を適用できる。ここでｓ、ｔは２以上の整数である。
【００７４】
図６の表示パネル４０は、第１走査線Ｇ１により選択される第１表示ラインの画素と、第２走査線Ｇ２により選択される第２表示ラインの画素と、第３走査線Ｇ３により選択される第３表示ラインの画素とを有する。そして、第１表示ラインの画素と第２表示ラインの画素と第３表示ラインの画素とは、互いに異なる色の画素である。例えば第１、第２、第３表示ラインの画素は、赤色（Ｒ）、緑色（Ｇ）、青色（Ｂ）の画素である。同様に、表示パネル４０は、第４、第５、第６走査線Ｇ４、Ｇ５、Ｇ６により選択される第４、第５、第６表示ラインの画素を有する。例えば第４、第５、第６表示ラインの画素は、赤色（Ｒ）、緑色（Ｇ）、青色（Ｂ）の画素である。
【００７５】
このように、トリプルゲート構造の表示パネルでは、画素アレイの縦方向（垂直走査方向）にＲＧＢの画素が並んで配置されている。このようなトリプルゲート構造の表示パネル４０を駆動する場合においても、図３等で説明した本実施形態の駆動手法を適用できる。
【００７６】
トリプルゲート構造の表示パネルを駆動する場合、通常は、表示ライン毎にデータ電圧の極性を反転させるライン反転駆動を行う。しかしながら、複数の表示ライン毎にデータ電圧の極性を反転させる駆動を行うことも可能であり、本実施形態では、このような駆動を行う場合を想定している。以下では、３本の表示ライン毎にデータ電圧の極性を反転させる場合を例に説明する。
【００７７】
図７は、トリプルゲート構造の表示パネルを駆動する場合の表示ドライバー１００の動作を説明するタイミングチャートである。
【００７８】
図７に示すように、トリプルゲート構造の表示パネルを駆動する場合には、１つの水平走査期間において３本の走査線が選択され、３本の表示ラインの画素が駆動される。そして、水平走査期間毎にデータ電圧の極性が反転される。例えば走査線Ｇ１、Ｇ２、Ｇ３（第１〜第３表示ライン）が選択される水平走査期間では、データ電圧ＳＶ１は正極性であり、走査線Ｇ４、Ｇ５、Ｇ６（第４〜第６表示ライン）が選択される水平走査期間では、データ電圧ＳＶ１は負極性である。なお、ここではコモン電圧ＶＣＯＭを一定とする。即ち、正極性の場合にはコモン電圧ＶＣＯＭよりも大きいデータ電圧が出力され、負極性の場合にはコモン電圧ＶＣＯＭよりも小さいデータ電圧が出力される。
【００７９】
データ電圧ＳＶ１を例にとると、図６の画素ＰＴＡ、ＰＴＢ、ＰＴＣ、ＰＴＤ、ＰＴＥ、ＰＴＦを駆動するデータ電圧が期間ＴＴＡ、ＴＴＢ、ＴＴＣ、ＴＴＤ、ＴＴＥ、ＴＴＦに出力される。期間ＴＲＡ、ＴＲＤは、データ電圧ＳＶ１の極性反転が行われた後のデータ電圧ＳＶ１がデータ線Ｓ１に供給される期間ＴＴＡ、ＴＴＤの開始から選択信号ＧＶ１、ＧＶ４をアクティブにするまでの期間である。期間ＴＲＢ、ＴＲＣ、ＴＲＥ、ＴＲＦは、データ電圧ＳＶ１の極性反転が行われなかった後のデータ電圧ＳＶ１がデータ線Ｓ１に供給される期間ＴＴＢ、ＴＴＣ、ＴＴＥ、ＴＴＦの開始から選択信号ＧＶ２、ＧＶ３、ＧＶ５、ＧＶ６をアクティブにするまでの期間である。このとき、期間ＴＲＡ、ＴＲＤの方が、期間ＴＲＢ、ＴＲＣ、ＴＲＥ、ＴＲＦよりも長い。
【００８０】
このように、トリプルゲート構造の表示パネル４０を駆動する場合においても、データ電圧の出力開始から選択信号をアクティブにするまでの時間を異ならせることで、極性反転後とそうでない場合とのセトリング時間の差に対応できる。
【００８１】
なお、フレーム毎に極性を反転させる場合には、図７において１フレーム前の期間ＴＴＦでのデータ電圧ＳＶ１は正極性である。この場合、１フレーム前の期間ＴＴＦと図７の期間ＴＴＡとは、データ電圧ＳＶ１が同極性なので、期間ＴＲＡの長さは期間ＴＲＢの長さと同じである。フレーム毎に極性を反転させる場合であっても、垂直方向の画素数が奇数（３の奇数倍）である場合には、１フレーム前の最後の水平走査線でのデータ電圧ＳＶ１の極性と、図７の期間ＴＴＡでのデータ電圧ＳＶ１の極性とは異なる極性となるので、期間ＴＲＡの長さは期間ＴＲＢの長さよりも長い。
【００８２】
５．デュアルゲート構造の表示パネルを駆動する手法の変形例
図１〜図５では、デュアルゲート構造の表示パネルにおいて、水平走査方向に並ぶ画素の極性を正、負、正、負のように交互に反転させるドット反転駆動を行う場合を例に説明したが、これに限定されない。例えば、水平走査方向に並ぶ画素の極性を正、正、負、負のように２ドット毎に反転させる駆動（２ドット反転駆動と呼ぶ）を行ってもよい。
【００８３】
図８は、２ドット反転駆動を行う場合の第１の変形例である。ここで、例えば画素アレイにおける第１行第２列の画素を符号ＰＸ１２のように表す。この変形例では、第１表示ラインの画素ＰＸ１１、ＰＸ１２、ＰＸ１３、ＰＸ１４の画素が正、負、負、正の極性で駆動され、第２表示ラインの画素ＰＸ２１、ＰＸ２２、ＰＸ２３、ＰＸ２４の画素が負、正、正、負の極性で駆動され、以降の表示ラインでは、これが交互に繰り返される。この場合、図８の点線で囲んだ画素（ＰＸ１２、ＰＸ２２、ＰＸ１４、ＰＸ２４等）が、極性反転後に駆動される画素となる。
【００８４】
図９は、２ドット反転駆動を行う場合の第２の変形例である。この変形例では、第１表示ラインの画素ＰＸ１１、ＰＸ１２、ＰＸ１３、ＰＸ１４の画素が正、正、負、負の極性で駆動され、第２表示ラインの画素ＰＸ２１、ＰＸ２２、ＰＸ２３、ＰＸ２４の画素が負、負、正、正の極性で駆動され、以降の表示ラインでは、これが交互に繰り返される。この場合、図９の点線で囲んだ画素（ＰＸ１１、ＰＸ２１、ＰＸ１３、ＰＸ２３等）が、極性反転後に駆動される画素となる。
【００８５】
図１０は、２ドット反転駆動を行う場合の第３の変形例である。この変形例では、第１表示ラインの画素ＰＸ１１、ＰＸ１２、ＰＸ１３、ＰＸ１４の画素が正、正、負、負の極性で駆動され、第２表示ラインの画素ＰＸ２１、ＰＸ２２、ＰＸ２３、ＰＸ２４の画素が負、正、正、負の極性で駆動され、以降の表示ラインでは、水平走査方向に１画素ずつずらされていく。この場合、図１０の点線で囲んだ画素（ＰＸ２１、ＰＸ２２、ＰＸ２３、ＰＸ２４等）が、極性反転後に駆動される画素となる。
【００８６】
図１１は、２ドット反転駆動を行う場合の第４の変形例である。この変形例では、第１表示ラインの画素ＰＸ１１、ＰＸ１２、ＰＸ１３、ＰＸ１４の画素が正、正、負、負の極性で駆動され、第２表示ラインの画素ＰＸ２１、ＰＸ２２、ＰＸ２３、ＰＸ２４の画素が負、正、正、負の極性で駆動され、以降の表示ラインでは、これが交互に繰り返される。この場合、図１１の点線で囲んだ画素（ＰＸ２１、ＰＸ２２、ＰＸ２３、ＰＸ２４等）が、極性反転後に駆動される画素となる。
【００８７】
以上のような２ドット反転駆動に図３等で説明した本実施形態の駆動手法を適用した場合、図８〜図１１の点線で囲んだ画素のデータ電圧がデータ線に供給される期間の開始から選択信号をアクティブにするまでの期間の方が、点線で囲んでいない画素のデータ電圧がデータ線に供給される期間の開始から選択信号をアクティブにするまでの期間よりも長い。
【００８８】
６．電気光学装置
図１２は、本実施形態の表示ドライバー１００（走査線駆動回路１０）を含む電気光学装置３５０の構成例である。
【００８９】
電気光学装置３５０は、ガラス基板２１０と、ガラス基板２１０上に形成される画素アレイ２２０と、ガラス基板２１０上に実装される表示ドライバー１００と、表示ドライバー１００及び画素アレイ２２０のデータ線を接続する配線群２３０と、表示ドライバー１００及び画素アレイ２２０の走査線を接続する配線群２４０と、表示コントローラー３００に接続されるフレキシブル基板２５０と、フレキシブル基板２５０と表示ドライバー１００を接続する配線群２６０を含む。配線群２３０及び配線群２４０、配線群２６０は、ガラス基板２１０上に透明電極（ＩＴＯ：Indium Tin Oxide）などで形成される。画素アレイ２２０は、画素、データ線、走査線を含み、ガラス基板２１０と画素アレイ２２０が表示パネル４０に相当する。なお、電気光学装置は、フレキシブル基板２５０に接続された基板と、その基板に実装される表示コントローラー３００と、を更に含んでも良い。図１２では表示ドライバー１００に走査線駆動回路１０が含まれる場合を例に説明したが、これに限定されず、走査線駆動回路１０が表示ドライバー１００とは別個にガラス基板２１０に設けられ（形成又は実装され）てもよい。
【００９０】
７．電子機器
図１３は、本実施形態の表示ドライバー１００（走査線駆動回路１０）を含む電子機器４００の構成例である。本実施形態の電子機器として、例えば車載表示装置（例えばメーターパネル等）や、モニター、ディスプレイ、単板プロジェクター、テレビション装置、情報処理装置（コンピューター）、携帯型情報端末、カーナビゲーションシステム、携帯型ゲーム端末、ＤＬＰ（Digital Light Processing）装置、プリンター等の、表示装置を搭載する種々の電子機器を想定できる。
【００９１】
電子機器４００は、電気光学装置３５０、ＣＰＵ３１０（広義には処理装置）、表示コントローラー３００、記憶部３２０（メモリー、記憶装置）、ユーザーインターフェース部３３０（ユーザーインターフェース回路）、データインターフェース部３４０（データインターフェース回路）を含む。電気光学装置３５０は、表示ドライバー１００、表示パネル４０を含む。なお、表示コントローラー３００の機能をＣＰＵ３１０が実現し、表示コントローラー３００が省略されてもよい。また、表示ドライバー１００と表示パネル４０が電気光学装置３５０として一体に構成されず、個々の構成要素として電子機器に組み込まれてもよい。
【００９２】
ユーザーインターフェース部３３０は、ユーザーからの種々の操作を受け付けるインターフェース部である。例えば、ボタンやマウス、キーボード、表示パネル４０に装着されたタッチパネル等で構成される。データインターフェース部３４０は、画像データや制御データの入出力を行うインターフェース部である。例えばＵＳＢ等の有線通信インターフェースや、或は無線ＬＡＮ等の無線通信インターフェースである。記憶部３２０は、データインターフェース部３４０から入力された画像データを記憶する。或は、記憶部３２０は、ＣＰＵ３１０や表示コントローラー３００のワーキングメモリーとして機能する。ＣＰＵ３１０は、電子機器の各部の制御処理や種々のデータ処理を行う。表示コントローラー３００は表示ドライバー１００の制御処理を行う。例えば、表示コントローラー３００は、データインターフェース部３４０や記憶部３２０からＣＰＵ３１０を介して転送された画像データを、表示ドライバー１００が受け付け可能な形式に変換し、その変換された画像データを表示ドライバー１００へ出力する。表示ドライバー１００は、表示コントローラー３００から転送された画像データに基づいて表示パネル４０を駆動する。
【００９３】
例えば電子機器４００が車載表示装置である場合、ＣＰＵ３１０、記憶部３２０等がＥＣＵ（Electronic Control Unit）に相当し、そのＥＣＵが処理する種々の情報（例えば車速、燃料残量、室温、日時等の情報）が表示コントローラー３００や電気光学装置３５０に転送され、表示パネル４０に表示される。なお、車載表示装置とＥＣＵは別体であってもよく、車載表示装置としてはＣＰＵ３１０や記憶部３２０等を含まなくてもよい。
【００９４】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また走査線駆動回路、表示ドライバー、表示パネル、電気光学装置、電子機器等の構成・動作等も、本実施形態で説明したものに限定されず、種々の変形実施が可能である。
【符号の説明】
【００９５】
１０…走査線駆動回路、２０…制御回路、３０…データ線駆動回路、
４０…表示パネル、５０…インターフェース回路、８０…電圧生成回路、
１００…表示ドライバー、２１０…ガラス基板、２２０…画素アレイ、
２３０…配線群、２４０…配線群、２５０…フレキシブル基板、２６０…配線群、
３００…表示コントローラー、３１０…ＣＰＵ、３２０…記憶部、
３３０…ユーザーインターフェース部、３４０…データインターフェース部、
３５０…電気光学装置、４００…電子機器
Ｇ１〜Ｇ１０…走査線、ＧＶ１〜ＧＶ１０…選択信号、ＰＡ〜ＰＪ…画素、
Ｓ１〜Ｓ８…データ線、ＳＶ１〜ＳＶ８…データ電圧、
ＴＧＣ…第２の選択期間、ＴＧＤ…第１の選択期間、ＴＳＡ…第４の期間、
ＴＳＢ…第６の期間、ＴＳＣ…第２の期間、ＴＳＤ…第１の期間、
ＴＳＧ…第３の期間、ＴＳＨ…第５の期間、ＶＣＯＭ…コモン電圧
【図１】
2018054676.tif 000003
【図２】
2018054676.tif 000004
【図３】
2018054676.tif 000005
【図４】
2018054676.tif 000006
【図５】
2018054676.tif 000007
【図６】
2018054676.tif 000008
【図７】
2018054676.tif 000009
【図８】
2018054676.tif 000010
【図９】
2018054676.tif 000011
【図１０】
2018054676.tif 000012
【図１１】
2018054676.tif 000013
【図１２】
2018054676.tif 000014
【図１３】
2018054676.tif 000015